(57)【要約】【課題】クロージャ内で複数の光ファイバ心線ユニットを整然と保持でき、特定の光ファイバ心線ユニットだけを取り出して容易に作業を行える光ファイバ心線ユニット区分け保持具を提供する。【解決手段】周方向の１箇所に光ファイバ心線ユニットの出し入れ口１９を有する環状枠体１３と、この環状枠体１３内に回転可能に組み込まれ、外周部に複数の光ファイバ心線ユニットを周方向に間隔をあけて収納する複数の収納凹部３７を設けた回転体１５と、出し入れ口１９を塞ぐ蓋１７とを備える。環状枠体１３内で回転体１５を回転させ、回転体の複数の収納凹部３７のうち任意に選んだ１つの収納凹部を環状枠体の出し入れ口１９と一致させることで、任意に選んだ収納凹部３７に光ファイバ心線ユニットを出し入れできるようした。光ファイバ心線ユニットを出し入れしないときは蓋１７を閉じておく。【選択図】図２
2014048495.tif 000002
【特許請求の範囲】
【請求項１】
周方向の１箇所に光ファイバ心線ユニットの出し入れ口を有する環状枠体と、この環状枠体内に、その内周面に案内されて回転できるように組み込まれ、外周部に複数の光ファイバ心線ユニットを周方向に間隔をあけて収納する複数の収納凹部を設けた回転体とを備え、
前記環状枠体内で回転体を回転させ、回転体の複数の収納凹部のうち任意に選んだ１つの収納凹部を環状枠体の出し入れ口と一致させることで、任意に選んだ収納凹部に光ファイバ心線ユニットを出し入れできるようしたことを特徴とする光ファイバ心線ユニット区分け保持具。
【請求項２】
環状枠体の外周面に、当該環状枠体を固定部材に取り付けるための取付部が突設されていることを特徴とする請求項１記載の光ファイバ心線ユニット区分け保持具。
【請求項３】
環状枠体に、光ファイバ心線ユニットの出し入れ口を塞ぐ蓋が開閉可能に取り付けられていることを特徴とする請求項１又は２記載の光ファイバ心線ユニット区分け保持具。
【請求項４】
環状枠体の内周面及び回転体の外周面に、回転体の各収納凹部が環状枠体の出し入れ口と一致した位置で回転体の回転を仮止めする位置決め部が形成されていることを特徴とする請求項１ないし３のいずれかに記載の光ファイバ心線ユニット区分け保持具。
【請求項５】
回転体の一方又は両方の端面に回転体を回転させるためのツマミが突設されていることを特徴とする請求項１ないし４のいずれかに記載の光ファイバ心線ユニット区分け保持具。
【請求項６】
環状枠体及び回転体に、回転体の回転角を360°未満に規制するストッパーが形成されていることを特徴とする請求項１ないし５のいずれかに記載光ファイバ心線ユニット区分け保持具。
【請求項７】
環状枠体側のストッパーが回転体のツマミと同じ側の端面に突設され、回転体のツマミの一部が回転体側のストッパーを兼ねていることを特徴とする請求項６記載の光ファイバ心線ユニット区分け保持具。
【請求項８】
回転体の各収納凹部の開口部に、収納凹部に収納された光ファイバ心線ユニットの飛び出しを防止する飛び出し防止片が形成されていることを特徴とする請求項１ないし７のいずれかに記載の光ファイバ心線ユニット区分け保持具。
【発明の詳細な説明】
【技術分野】
【０００１】
本発明は、架設光ケーブルから加入者へのドロップケーブルを分岐させるためのクロージャ内で、光ケーブルの外被を剥いで露出させた複数の光ファイバ心線ユニットを、ユニット毎に区分けして保持する区分け保持具に関するものである。
【背景技術】
【０００２】
架設光ケーブルから加入者へのドロップケーブルを分岐させる場合には、光ケーブルの適当な位置で外被を剥ぎ、その部分にクロージャを設置して、クロージャ内で光ケーブルの光ファイバ心線とドロップケーブルの光ファイバ心線とを接続する。
【０００３】
光ケーブルの光ファイバ心線は通常、識別を容易にするため複数本ずつのユニットに分けて外被内に収納されている。例えば、光ファイバ心線として４心のテープ心線を用いる場合には、テープ心線を５枚積層したもの（20心）を１ユニットとし、これを例えば10ユニット集合して200心の光ケーブルが構成される。
【０００４】
光ケーブルの複数の光ファイバ心線のうち、クロージャ内でドロップケーブルと接続されるのは一部であり、大部分の光ファイバ心線はクロージャを通過するだけである。クロージャを通過するだけの光ファイバ心線は通過心線と呼ばれる。通過心線は、クロージャ内で余長をもたせて余長収納ケースに収納する場合（特許文献１）と、ほとんど余長をもたせずに通過させて余長収納ケースを省略する場合（特許文献２）とがある。
【０００５】
通過心線の余長収納ケースがない簡略な方式を図９に示す。図において、１は光ケーブル、２は光ケーブル１を支持するメッセンジャワイヤ、３は光ケーブルの外被を剥いで露出させた複数の光ファイバ心線ユニット、４は光ファイバ心線ユニット３の露出部分を覆うように設置されたクロージャ、５はドロップケーブル、６はドロップケーブル５の光ファイバ心線である。
【０００６】
光ケーブル１の複数の光ファイバ心線ユニット３のうちの多くはクロージャ４内で切断されずにそのまま通過する通過心線３ａであるが、一部の光ファイバ心線ユニット（又は一部の光ファイバ心線ユニットのうちの一部の光ファイバ心線）は、クロージャ４内で切断され、通過心線３ａから枝分かれして分岐心線３ｂとなる。分岐心線３ｂはドロップケーブル５の光ファイバ心線６と接続される。７はその接続部である。通過心線３ａは集束部品８により束ねられ、一括してメッセンジャワイヤ２に支持される。
【０００７】
光ケーブルにドロップケーブルを接続する作業は次のように行われる。まず、クロージャを開き、集束部品８による通過心線３ａの集束を解除し、通過心線３ａの中から特定の光ファイバ心線ユニットを選び出し、その光ファイバ心線ユニットの中から特定のテープ心線を選び出し、さらにそのテープ心線のうちの特定の単心線（又はそのテープ心線）を切断・分離して、ドロップケーブルの光ファイバ心線と接続する。この作業は、新規加入者が発生する度に行われるので、なるべく効率よく行えるようにすることが要求される。
【先行技術文献】
【特許文献】
【０００８】
【特許文献１】特開２００４−３５４５３６号公報
【特許文献２】特開２００３−２０３４２７号公報
【発明の概要】
【発明が解決しようとする課題】
【０００９】
従来、クロージャ内では、複数の光ファイバ心線ユニットを、集束部品でひとまとめにして束ねていたので、集束部品による集束を解除すると、複数の光ファイバ心線ユニットがバラバラになってしまい、ドロップケーブルを接続すべき光ファイバ心線を含む特定のユニットを選び出す作業が面倒であり、また、選び出したユニットについて分離・接続作業を行うときに、他のユニットが邪魔になり、作業性がわるいという問題があった。
特に、クロージャ内には光ファイバ心線が高密度に収納されていることから、光ファイバ心線の識別が困難である。
【００１０】
本発明の目的は、クロージャ内で複数の光ファイバ心線ユニットを整然と保持でき、特定の光ファイバ心線ユニットだけを取り出して容易に作業を行うことのできる光ファイバ心線ユニット区分け保持具を提供することにある。
【課題を解決するための手段】
【００１１】
本発明に係る光ファイバ心線ユニット区分け保持具は、
周方向の１箇所に光ファイバ心線ユニットの出し入れ口を有する環状枠体と、この環状枠体内に、その内周面に案内されて回転できるように組み込まれ、外周部に複数の光ファイバ心線ユニットを周方向に間隔をあけて収納する複数の収納凹部を設けた回転体とを備え、
前記環状枠体内で回転体を回転させ、回転体の複数の収納凹部のうち任意に選んだ１つの収納凹部を環状枠体の出し入れ口と一致させることで、任意に選んだ収納凹部に光ファイバ心線ユニットを出し入れできるようしたことを特徴とするものである。
【００１２】
本発明に係る光ファイバ心線ユニット区分け保持具は、環状枠体の外周面に、当該環状枠体を固定部材に取り付けるための取付部が突設されていることが好ましい。
【００１３】
また、本発明に係る光ファイバ心線ユニット区分け保持具は、環状枠体に、光ファイバ心線ユニットの出し入れ口を塞ぐ蓋が開閉可能に取り付けられていることが好ましい。
【００１４】
また、本発明に係る光ファイバ心線ユニット区分け保持具は、環状枠体の内周面及び回転体の外周面に、回転体の各収納凹部が環状枠体の出し入れ口と一致した位置で回転体の回転を仮止めする位置決め部が形成されていることが好ましい。
【００１５】
また、本発明に係る光ファイバ心線ユニット区分け保持具は、回転体の一方又は両方の端面に回転体を回転させるためのツマミが突設されていることが好ましい。
【００１６】
また、本発明に係る光ファイバ心線ユニット区分け保持具は、環状枠体及び回転体に、回転体の回転角を360°未満に規制するストッパーが形成されていることが好ましい。
【００１７】
また、本発明に係る光ファイバ心線ユニット区分け保持具は、環状枠体側のストッパーが回転体のツマミと同じ側の端面に突設され、回転体のツマミの一部が回転体側のストッパーを兼ねていることが好ましい。
【００１８】
また、本発明に係る光ファイバ心線ユニット区分け保持具は、回転体の各収納凹部の開口部に、収納凹部に収納された光ファイバ心線ユニットの飛び出しを防止する飛び出し防止片が形成されていることが好ましい。
【発明の効果】
【００１９】
本発明に係る光ファイバ心線ユニット区分け保持具を使用すると、回転体を回転させて任意に選んだ収納凹部を環状枠体の出し入れ口に一致させることで、当該収納凹部に光ファイバ心線ユニットを収納することができ、これを繰り返すことにより複数の光ファイバ心線ユニットを複数の収納凹部に個別に収納することができる。つまり、光ファイバ心線の順番に従い、多数の光ファイバ心線を順序通りに収納することができる。そして、出し入れ口に蓋を被せるか、収納凹部が出し入れ口と一致しない状態にしておけば、光ファイバ心線ユニットが収納凹部から脱出することはないので、複数の光ファイバ心線ユニットを回転体の外周部に沿ってユニット毎に区分けした状態で整然と保持することができる。
【００２０】
また、ドロップケーブル接続などのため、特定の光ファイバ心線ユニットを環状枠体外に取り出す必要が生じたときは、回転体を回転させて当該光ファイバ心線ユニットを収納した収納凹部が環状枠体の出し入れ口と一致させれば、当該光ファイバ心線ユニットを他の光ファイバ心線ユニットに邪魔されることなく簡単に取り出すことができる。これは、光ファイバ心線が順序通りに収納されているため、心線の引き落としに際しては、心線を交差なく引き落とすことが可能となり、多数の心線引き落とし作業を担保できる、ということである。取り出した光ファイバ心線ユニットは、所定の作業が済んだら、再びもとの収納凹部に戻しておくこともできる。
また、回転構造であるため、作業者が任意の作業心線を作業しやすい位置に配置して作業を行えるので、作業性の向上を図ることができる。
【００２１】
また、環状枠体の外周面に取付部を突設しておけば、環状枠体をメッセンジャワイヤやクロージャの骨組み等の固定部材に簡単に取り付けることができ、区分け保持具を光ファイバ心線ユニットの出し入れ作業がしやすい姿勢に保つことができる。
【００２２】
また、環状枠体の内周面及び回転体の外周面に、回転体の各収納凹部が環状枠体の出し入れ口と一致したところで回転体の回転を仮止めする位置決め部を形成しておけば、回転体の収納凹部を環状枠体の出し入れ口と確実に一致させることができ、光ファイバ心線ユニットの出し入れ作業を容易に行うことができる。
【００２３】
また、回転体の端面にツマミを形成しておけば、回転体を回転させる作業を容易に行うことができる。
【００２４】
また、環状枠体及び回転体に、回転体の回転角を360°未満に規制するストッパーを形成しておけば、回転体を回転させ過ぎて光ファイバ心線ユニットが捩れてしまうのを防止でき、光ファイバ心線ユニットの損傷を防止できる。
【００２５】
また、回転体のツマミが回転体側のストッパーを兼ねるようにすれば、構造を簡素化することができる。
【００２６】
また、回転体の各収納凹部の開口部に、光ファイバ心線ユニットの飛び出し防止片を形成しておけば、収納凹部を環状枠体の出し入れ口に一致させたときに光ファイバ心線ユニットが不用意に飛び出してしまうのを防止できる。
【図面の簡単な説明】
【００２７】
【図１】本発明に係る光ファイバ心線ユニット区分け保持具の一実施例を示す、（Ａ）は斜視図、（Ｂ）は正面図、（Ｃ）は平面図、（Ｄ）は右側面図。
【図２】図１の光ファイバ心線ユニット区分け保持具を分解して示す斜視図。
【図３】図１の光ファイバ心線ユニット区分け保持具の一部品である環状枠体を示す、（Ａ）は斜視図、（Ｂ）は正面図、（Ｃ）は平面図、（Ｄ）は底面図、（Ｅ）は右側面図、（Ｆ）は左側面図。
【図４】図１の光ファイバ心線ユニット区分け保持具の一部品である回転体を示す、（Ａ）は斜視図、（Ｂ）は正面図、（Ｃ）は平面図、（Ｄ）は底面図、（Ｅ）は右側面図、（Ｆ）は左側面図、（Ｇ）は（Ｂ）のＧ−Ｇ線断面図。
【図５】図１の光ファイバ心線ユニット区分け保持具の一部品である蓋を示す、（Ａ）は斜視図、（Ｂ）は正面図、（Ｃ）は平面図、（Ｄ）は底面図、（Ｅ）は右側面図、（Ｆ）は左側面図。
【図６】図１の光ファイバ心線ユニット区分け保持具の、蓋を開いた状態を示す（Ａ）は斜視図、（Ｂ）は正面図。
【図７】図１の光ファイバ心線ユニット区分け保持具で、光ファイバ心線ユニットを区分け保持した状態を示す、（Ａ）は正面図、（Ｂ）は右側面図。
【図８】図１の光ファイバ心線ユニット区分け保持具の使用状態を示す説明図。
【図９】クロージャ内で光ケーブルの光ファイバ心線とドロップケーブルの光ファイバ心線とを接続する従来の構造を示す説明図。
【発明を実施するための形態】
【実施例】
【００２８】
図１及び図２は本発明に係る光ファイバ心線ユニット区分け保持具の一実施例を示す。この区分け保持具１１は、環状枠体１３と、回転体１５と、蓋１７とから構成されている。各部品はいずれもプラスチック成型体である。
【００２９】
まず、環状枠体１３の構成について図３を参照して説明する。環状枠体１３は周方向の１箇所が欠落しており、この部分が光ファイバ心線ユニットの出し入れ口１９となっている。環状枠体１３の外周面には取付部２１が突設されている。この取付部２１は環状枠体１３をクロージャ内の固定部材（メッセンジャワイヤやクロージャのフレーム等）に取り付ける部分である。取付部２１は、環状枠体１３の外周面から突出する腕部２１ａと、この腕部２１ａの先端に一体に形成された、固定部材への押し当て部２１ｂとからなる。腕部２１ａには穴２１ｃが形成されている。この穴２１ｃは取付部２１を固定部材に取り付けるための結束バンド（商品名タイラップ又はインシュロック等）を通す部分である。
【００３０】
環状枠体１３の内周面の幅方向（軸線方向）中央部には、回転体１５を回転方向に案内するガイドレール２３が突設されている。また環状枠体１３の内周面のガイドレール２３の両側には、所定の角度間隔（後述する回転体１５の収納凹部と同じ角度間隔）で、回転体１５の回転を仮止めする位置決め溝２５が形成されている。
【００３１】
また、環状枠体１３の出し入れ口１９の片側には、蓋１７の基端を回転可能に支持するヒンジ軸２７が軸線方向に形成され、出し入れ口１９の反対側には、蓋１７の開閉端を仮止めする係止片２９が軸線方向に形成されている。さらに、環状枠体１３の一方の端面には、回転体１５の回転角を規制するストッパー３１が突設されている。
【００３２】
次に、回転体１５の構成について図４を参照して説明する。回転体１５は、外径が環状枠体１３の内径より小さい胴部３３を有しており、この胴部３３の外周面の軸線方向の両側（軸線方向中央部を除く部分）には放射状に仕切壁３５が形成されている。周方向に隣り合う仕切壁３５の間は光ファイバ心線ユニットを収納する収納凹部３７となっている。この回転体１５には収納凹部３７が、片側の半周に所定の角度間隔で５区画、他の半周に同じ角度間隔で５区画、計１０区画形成されていて、１０ユニットの光ファイバ心線ユニットを周方向に間隔をあけて収納できるようになっている。
【００３３】
軸線方向の片側の仕切壁３５の先端には、左回り方向に飛び出し防止片３９が形成され、軸線方向の反対側の仕切壁３５の先端には、右回り方向に飛び出し防止片３９が形成されている。つまり軸線方向の両側の仕切壁３５の先端には互い違いに飛び出し防止片３９が形成されている。回転体１５の外径（飛び出し防止片３５の外接円の直径）は、環状枠体１３の内周面のガイドレール２３を除く部分（位置決め溝２５を形成した部分）の内径とほぼ同じに設定されている。
【００３４】
環状枠体１３のガイドレール２３の内径は、回転体１５の外径（飛び出し防止片３５の外接円の直径）より若干小さく設定されているが、環状枠体１３は周方向の１箇所に出し入れ口１９を有しているので、出し入れ口１９を広げる方向に弾性変形させて、環状枠体１３の内径を大きくすれば、環状枠体１３内に回転体１５を組み込むことができる。環状枠体１３内に回転体１５を組み込むと、環状枠体１３が弾性変形前の内径に戻って環状枠体１３のガイドレール２３が、回転体１３の軸線方向の両側の飛び出し防止片３９の間に落ち込むので、回転体１３は環状枠体１３内で軸線方向への移動を阻止された状態で回転可能となる。
【００３５】
回転体１５の一方の端面には、環状枠体１３内で回転体１５を回転させるための一対のツマミ４１Ａ、４１Ｂが突設されている。このツマミ４１Ａ、４１Ｂは、収納凹部３７への光ファイバ心線ユニットの収納の邪魔にならないように、収納凹部３７を避けて、片側の半周の５区画の収納凹部３７と他の半周の５区画の収納凹部３７の間に180°間隔で形成されている。
【００３６】
この実施例では、回転体１５のツマミ４１Ａ、４１Ｂが、環状枠体１３のストッパー３１と同じ側の端面に形成されており、環状枠体１３内で回転体１５を回転させたときに、一方のツマミ４１Ａは環状枠体１３のストッパー３１に突き当たるように形成され、他方のツマミ４１Ｂは環状枠体１３のストッパー３１に突き当たらないように形成されている。つまり、一方のツマミ４１Ａの一部が回転体１５側のストッパー４３となっている。このため、回転体１５は、ツマミ４１Ａの一部（ストッパー）４３が、環状枠体１３のストッパー３１の周方向の片側に突き当たる位置から、周方向の反対側に突き当たる位置までの範囲（360°未満の範囲）で回転可能であり、それ以上は回転できないように規制されている。これは、光ファイバ心線ユニットの過度のねじれを防止するためである。
【００３７】
また、回転体１５の外周面には、環状枠体１３の位置決め溝２５に落ち込む位置決め突起４５が形成されている。
【００３８】
次に、蓋１７の構成について図５を参照して説明する。蓋１７は環状枠体１４の出し入れ口１９を外側から塞ぐように形成された湾曲した部材である。蓋１７の一端側には環状枠体１３のヒンジ軸２７に回転可能に装着される軸受部４７が形成され、他端側には環状枠体１３の係止片２９に着脱可能に装着されるフック部４９が形成されている。
【００３９】
図６は蓋１７の軸受部４７を環状枠体１３のヒンジ軸２７に装着して、蓋１７を開いた状態を示す。蓋１７はヒンジ軸２７を中心として回転可能であり、蓋１７を閉じると図１に示すように環状枠体１３の出し入れ口１９が蓋１７によって塞がれた状態となる。
【００４０】
図１に示す光ファイバ心線ユニット区分け保持具１１は、以上のように構成された環状枠体１３に回転体１５を組み込み、蓋１７を取り付けたものである。環状枠体１３内で回転体１５を回転させると、回転体１５の外周面の位置決め突起４５が、環状枠体１３の内周面の位置決め溝２５に落ち込んだり、位置決め溝２５から脱出したりするので、環状枠体１３が拡径・縮径方向に弾性変形する（出し入れ口１９が広がったり狭まったりする）。このため、位置決め突起４５が位置決め溝２５に落ち込む度にカチッと音がして、回転体１５はその位置に仮止めされる。
【００４１】
環状枠体１３の位置決め溝２５は、回転体１５の収納凹部３７と同じ角度間隔で形成されており、回転体１５のいずれかの収納凹部３７が環状枠体１３の出し入れ口１９と一致したところで、位置決め突起４５がいずれかの位置決め溝２５に落ち込むようになっている。このため、回転体１５は、いずれかの収納凹部３７が環状枠体１３の出し入れ口１９と一致したところで、仮止めすることができる。したがって、回転体１５のいずれかの収納凹部３７が環状枠体１３の出し入れ口１９と一致させて、蓋１７を開けば、その収納凹部３７に光ファイバ心線ユニットの出し入れを行うことができる。
【００４２】
図７は、以上のようにして、回転体１５の各収納凹部３７に光ファイバ心線ユニット３を１本ずつ収納した状態を示す。１本の光ファイバ心線ユニット３は、例えば４心テープ心線を５枚積層したものである。このようにすれば、複数の光ファイバ心線ユニット３を所定の順番で整然と区分け保持することができるので、ドロップケーブルを接続するときに、特定の光ファイバ心線ユニットを選び出す作業を容易に行うことができる。
【００４３】
図８は、以上説明した光ファイバ心線ユニット区分け保持具１１を用いて、クロージャ４内で光ケーブル１の複数の光ファイバ心線ユニット３を区分け保持した状態を示す。図８において、図９と同一部分には同一符号を付してある。
【００４４】
区分け保持具１１は、環状枠体１３の取付部２１を結束バンド（図示せず）によりメッセンジャワイヤ２に取り付けられる。区分け保持具１１には複数の光ファイバ心線ユニット３が図７のように区分けした状態で整然と保持される。このような状態であれば、ドロップケーブル５を接続するときは、回転体を回転させ、特定の収納凹部を環状枠体の出し入れ口に一致させ、蓋を開けば、ドロップケーブル５を接続すべき特定の光ファイバ心線ユニットを容易に取り出すことができる。ドロップケーブルと接続しない他の光ファイバ心線ユニットは区分け保持具１１に保持されたままであるので、ドロップケーブルとの接続作業は他の光ファイバ心線ユニットに邪魔されることなく容易に効率よく行うことができる。ドロップケーブル５を接続した後は、その光ファイバ心線ユニットを再び元の収納凹部に戻して収納することができる。また、回転体の回転範囲はストッパーにより360°未満に規制されているので、回転体の回転により光ファイバ心線ユニット３に過度のねじりが加わるおそれがない。
【符号の説明】
【００４５】
１：光ケーブル
２：メッセンジャワイヤ
３：光ファイバ心線ユニット
４：クロージャ
５：ドロップケーブル
６：ドロップケーブルの光ファイバ心線
７：光ファイバ心線接続部
１１：光ファイバ心線ユニット区分け保持具
１３：環状枠体
１５：回転体
１７：蓋
１９：出し入れ口
２１：取付部
２３：ガイドレール
２５：位置決め溝
２７：ヒンジ軸
２９：係止片
３１：環状枠体側のストッパー
３３：胴部
３５：仕切壁
３７：収納凹部
３９：飛び出し防止片
４１Ａ・４１Ｂ：ツマミ
４３：回転体側のストッパー
４５：位置決め突起
４７：軸受部
４９：フック部
【図１】
2014048495.tif 000003
【図２】
2014048495.tif 000004
【図３】
2014048495.tif 000005
【図４】
2014048495.tif 000006
【図５】
2014048495.tif 000007
【図６】
2014048495.tif 000008
【図７】
2014048495.tif 000009
【図８】
2014048495.tif 000010
【図９】
2014048495.tif 000011